(57)【要約】【課題】  構造簡単で容易に分解組立ができ、作業員一人で浴槽に取り付けでき、給湯配管と戻湯配管とを自由に選択して接続でき、浴槽壁の厚みを考慮することなく、取付作業ができ、大部分を合成樹脂製にでき、安価に製作できる浴槽湯口装置を提供する。【解決手段】  給湯管２０１及び戻湯管２０２を設けた給湯戻湯本体２０と、給湯戻湯本体２０を浴槽壁８０に固定できるようにした押え金３０と、給湯戻湯本体２０の給湯管２０１と戻湯管２０２にそれぞれ挿入する給湯内管１０１と戻湯内管１０２を設け、給湯と戻湯の流通を切替える仕切箱１０と、仕切箱１０を被覆できるようにした網カバー４０とを備え、給湯戻湯本体２０の給湯管２０１及び戻湯管２０２を給湯配管６１、又は、戻湯配管６２のいずれに連結しても給湯及び戻湯ができるようにしたもの。【選択図】    図１
2008032378.tif 000002
【特許請求の範囲】
【請求項１】
給湯配管６１及び戻湯配管６２に接続する継手管５０をそれぞれ先端に接続できるようにした給湯管２０１及び戻湯管２０２を設けた給湯戻湯本体２０と、ヘッド３０１１に螺孔３０１２を設けた締付ねじ３０１を介して給湯戻湯本体２０を浴槽壁８０に固定できるようにした押え金３０と、給湯戻湯本体２０の給湯管２０１と戻湯管２０２にそれぞれ挿入する給湯内管１０１と戻湯内管１０２を設けると共に、給湯と戻湯の流通を切替える仕切箱１０であって、締付ねじヘッド３０１１に穿設した螺孔３０１２を介してねじ１０３により固着できるようにしたものと、仕切箱１０を被覆できるようにした網カバー４０とを備え、給湯戻湯本体２０の給湯管２０１及び戻湯管２０２を給湯配管６１、又は、戻湯配管６２のいずれに連結しても給湯及び戻湯ができるようにしたことを特徴とする浴槽湯口装置。
【請求項２】
仕切箱１０が、給湯内管１０１に連通する給湯通路１１と、戻湯内管１０２に連通する戻湯通路１３とが、それぞれ設けられて、それぞれの通路に、加圧給湯により、給湯通路１１の出口１１１を開き、戻湯通路１３の出口１３１を閉じる２個の開閉弁１５１Ａと１５２Ａを設けて給湯を浴槽内に流出させると共に、給湯通路１１から加圧給湯が多量に流出できない範囲の大きさの開口部１１０１を設けて戻湯受部１２に連通し、戻湯受部１２に開口部１１０１に相当する開口部１３０１を設けて戻湯通路１３に連通して、戻湯を、戻湯受部１２から開口部１３０１を経て戻湯通路１３及び戻湯管１０２に流入できるようにしてなり、給湯内管１０１に戻湯を、戻湯内管１０２に給湯を、供給しても給湯口１４から給湯を、戻湯受部１２から戻湯を、浴槽内に循環できるようにしたことを特徴とする浴槽湯口装置。
【請求項３】
仕切箱１０が、給湯内管１０１に連通する給湯通路１１と、戻湯内管１０２に連通する戻湯通路１３とが、それぞれ設けられて、それぞれの通路に、加圧給湯により、給湯通路１１の出口１１１を開くと共に、戻湯通路１３の出口１３１を閉じる開閉弁１５１Ｂ又は１５１Ｃを設けて給湯を給湯口１４を通じて浴槽内に流出させると共に、給湯通路１１から加圧給湯が多量に流出できない範囲の大きさの開口部１１０１を設けて戻湯受部１２に連通し、戻湯受部１２に開口部１１０１に相当する開口部１３０１を設けて戻湯通路１３に連通して、戻湯を、戻湯受部１２から開口部１３０１を経て戻湯通路１３及び戻湯管１０２に流入できるようにしてなり、給湯内管１０１に戻湯を、戻湯内管１０２に給湯を、供給しても給湯口１４から給湯を、戻湯受部１２から戻湯を、浴槽内に循環できるようにしたことを特徴とする浴槽湯口装置。
【発明の詳細な説明】
【技術分野】
【０００１】
本発明は、本発明者の特開２００４−３２５０４２号の浴槽湯口装置の改良に関する。
【背景技術】
【０００２】
特開２００４−３２５０４２号に示されている浴槽湯口装置は、同公報の図２、図３及び図５に示すように、給湯通路３１と戻湯通路３２をシーソ弁板１９の作動により自動的に切換えることができ、給湯配管と戻湯配管を、給湯通路３１及び戻湯通路３２の金具３０の接続口３１１、３２１のいずれに接続しても、給湯流出口及び戻湯の流入口が選定できることになり、配管作業時における配管の接続誤りによる作業ミスを防止できるようになったが、給湯通路３１及び戻湯通路３２が二重管構造になっていたので、構造が複雑で製作費が高くなる欠点があった。また、湯口装置１０と給湯通路３１及び戻湯通路３２の金具３０がフランジ付雄ねじ筒２０を介して螺合して浴槽壁に取付けるようになっていたので、取付け作業は浴槽壁の内側と外側から、少なくとも２名で締付作業を行わねばならない欠点があり、その上、雄ねじ筒２０の雄ねじ部の長さにより浴槽壁の厚さが制限される欠点があった。
そこで、本発明者は、浴槽湯口装置を構造簡単にして、一人の作業員で取付作業ができるようにし、また、浴槽の壁厚に余裕をもって対応できるようにして本発明を完成した。
【特許文献１】特開２００４−３２５０４２号公報
【発明の開示】
【発明が解決しようとする課題】
【０００３】
本発明は、構造簡単で容易に分解組立ができ、作業員一人で浴槽に取り付けできる浴槽湯口装置を提供するものである。
また、本発明は、給湯配管と戻湯配管とを自由に選択して接続できるようにして、作業の合理化と配管誤りの防止をはかった浴槽湯口装置を提供するものである。
また、本発明は、浴槽壁の厚みを考慮することなく、取付作業ができるようにした浴槽湯口装置を提供するものである。
さらに、本発明は、大部分を合成樹脂製にすることができ、安価に製作できる浴槽湯口装置を提供するものである。
【課題を解決するための手段】
【０００４】
本発明浴槽湯口装置は、上記課題を達成するため、図示するように、給湯配管６１及び戻湯配管６２に接続する継手管５０をそれぞれ先端に接続できるようにした給湯管２０１及び戻湯管２０２を設けた給湯戻湯本体２０と、ヘッド３０１１に螺孔３０１２を設けた締付ねじ３０１を介して給湯戻湯本体２０を浴槽壁８０に固定できるようにした押え金３０と、給湯戻湯本体２０の給湯管２０１と戻湯管２０２にそれぞれ挿入する給湯内管１０１と戻湯内管１０２を設けると共に、給湯と戻湯の流通を切替える仕切箱１０であって、締付ねじヘッド３０１１に穿設した螺孔３０１２を介してねじ１０３により固着できるようにしたものと、仕切箱１０を被覆できるようにした網カバー４０とを備え、給湯戻湯本体２０の給湯管２０１及び戻湯管２０２を給湯配管６１、又は、戻湯配管６２のいずれに連結しても給湯及び戻湯ができるようにしたものである。
また、本発明浴槽湯口装置は、上記課題を達成するため、図示するように、仕切箱１０が、給湯内管１０１に連通する給湯通路１１と、戻湯内管１０２に連通する戻湯通路１３とが、それぞれ設けられて、それぞれの通路に、加圧給湯により、給湯通路１１の出口１１１を開き、戻湯通路１３の出口１３１を閉じる２個の開閉弁１５１Ａと１５２Ａを設けて給湯を浴槽内に流出させると共に、給湯通路１１から加圧給湯が多量に流出できない範囲の大きさの開口部１１０１を設けて戻湯受部１２に連通し、戻湯受部１２に開口部１１０１に相当する開口部１３０１を設けて戻湯通路１３に連通して、戻湯を、戻湯受部１２から開口部１３０１を経て戻湯通路１３及び戻湯管１０２に流入できるようにしてなり、給湯内管１０１に戻湯を、戻湯内管１０２に給湯を、供給しても給湯口１４から給湯を、戻湯受部１２から戻湯を、浴槽内に循環できるようにしたものである。
さらに、本発明浴槽湯口装置は、上記課題を達成するため、図示するように、仕切箱１０が、給湯内管１０１に連通する給湯通路１１と、戻湯内管１０２に連通する戻湯通路１３とが、それぞれ設けられて、それぞれの通路に、加圧給湯により、給湯通路１１の出口１１１を開くと共に、戻湯通路１３の出口１３１を閉じる開閉弁１５１Ｂ又は１５１Ｃを設けて給湯を給湯口１４を通じて浴槽内に流出させると共に、給湯通路１１から加圧給湯が多量に流出できない範囲の大きさの開口部１１０１を設けて戻湯受部１２に連通し、戻湯受部１２に開口部１１０１に相当する開口部１３０１を設けて戻湯通路１３に連通して、戻湯を、戻湯受部１２から開口部１３０１を経て戻湯通路１３及び戻湯管１０２に流入できるようにしてなり、給湯内管１０１に戻湯を、戻湯内管１０２に給湯を、供給しても給湯口１４から給湯を、戻湯受部１２から戻湯を、浴槽内に循環できるようにしたものである。
本発明において、継手管は、給湯戻湯本体の給湯管と戻湯管に接続すると共に、給湯配管と戻湯配管に接続できるものはすべて含まれる。
給湯戻湯本体は、平行に並べた給湯管と戻湯管と後記押え金の締付ねじの螺孔とがあればいかなる形状でもよい。
押え金は、浴槽壁の開口部を外側と内側から挟み、給湯戻湯本体をシールパッキンを介して押圧し密着できるものであればいかなる形状でもよい。
仕切箱は、給湯戻湯本体の給湯管と戻湯管とにＯリング等のシールパッキンを介して挿入して、それぞれ密着して連通する給湯内管と戻湯内管を備えると共に、開閉弁によって給湯内管が給湯中には、開閉弁は開いて浴槽に流入し、反対に戻湯内管の出口は閉まっているため戻湯は開口部から戻湯内管に流入する仕組となっている。また、その反対に戻湯内管が給湯中には、開閉弁は開いて浴槽に流入し、反対に給湯内管の出口は閉まっているため戻湯は開口部から給湯内管に流入できる仕組となっている。
網カバーは、仕切箱をカバーして給湯又は戻湯中の夾雑物、異物を除去するもので、いかなる形状のものでもよい。
【発明の効果】
【０００５】
本発明品は、構造簡単で、組立分解が誰でもできる上に、浴槽への取付けは一人の作業員でできる利点がある。
また、本発明品は、給湯配管と戻湯配管とをどちらを給湯管又は戻湯管に選択して接続してもよく、作業上の誤りを防止できる利点がある。
また、本発明品は、厚みのある浴槽壁でも余裕をもって取りつけできる利点がある。
さらに、本発明品は、製作容易で大部分を合成樹脂製に代えることができ、安価に提供できる利点がある。
【発明を実施するための最良の形態】
【０００６】
本発明の浴槽湯口装置は、継手管と、給湯戻湯本体と、押え金と、仕切箱と、網カバーからなっているものである。
【実施例１】
【０００７】
本発明の実施例１が図１乃至図６に示されている。
本発明実施例の浴槽湯口装置は、継手管５０と、給湯戻湯本体２０と、押え金３０と、仕切箱１０と、網カバー４０とを備えている。
継手管５０は、図１に示すように、たけのこ状に形成された継手胴５１、５２と、つば５０１、５０２と、Ｏリング５０５、５０６を設けたシール管５０３、５０４とからなり、継手胴５１、５２は、給湯配管６１及び戻湯配管６２に接続できるように形成されている。
つば５０１、５０２は、継手胴５１、５２の後部に立設され、後述する給湯戻湯本体２０の給湯管２０１及び戻湯管２０２の各先端に設けた つば２０１１、２０２１と固定具７１、７２を嵌合することにより管接続できるようにしている。
給湯戻湯本体２０は、図１及び図２−１に示すように、円板２１と給湯管２０１と戻湯管２０２とシールパッキン２０３とからなり、円板２１は、浴槽壁８０の開口部８１に位置決めできるように円形の凸部２１１が形成されると共に、中心部に螺孔２１０１を備えている。さらに、螺孔２１０１の左右に給湯管２０１及び戻湯管２０２への連通孔２１０２、２１０３が形成されている。
給湯戻湯本体２０は、図２−２に示すように、継手管５０は、下方向又は上方向にもう１対設けてもよい。
給湯管２０１と戻湯管２０２は、円板２１の凸部２１１の反対側に水平に平行に並べて立設されている。また、給湯管２０１の先端にはつば２０１１が立設され、戻湯管２０２の先端には つば２０２１が立設されている。
シールパッキン２０３は、断面コの字状に形成されて円板２１の外周部に装着されている。
押え金３０は、図２−１に示すように、長板３１と締付ねじ３０１とからなり、長板３１は、長方形に形成され、中心部に締付ねじ３０１の貫入する孔３００１を設けている。
また、押え金３０は、図２−３に示すように、Ｙの字状に形成され、中心部に締付ねじ３０１Ｂの貫入する孔３００１Ｂを設けたものでもよい。
締付ねじ３０１は、ヘッド３０１１に仕切箱１０のねじ１０３が螺着できる螺孔３０１２を設けている。なお、ヘッド３０１１は、ナット形の六角形状のもののほか丸頭状等のものでもよい。
仕切箱１０は、図３乃至図６に示すように、箱体１００と給湯内管１０１と戻湯内管１０２と仕切室１１、１２、１３と開閉弁１５１Ａ、１５２Ａと開口部１４とからなり、箱体１００は、円形箱状に形成して第１室１１と第２室１２と第３室１３とに仕切られ、給湯戻湯本体２０の給湯管２０１に挿入された給湯内管１０１の出口１０１２は、仕切室１１に連通し、仕切室１１の中途の開口部１１０１を下端１２０１を閉塞した仕切室１２へ連通し、給湯戻湯本体２０の戻湯管２０２に挿入された戻湯内管１０２の入口１０２２は、仕切室１３に連通し、仕切室１３の中途の開口部１３０１を下端１４０１を閉塞した仕切室１２へ連通している。給湯内管１０１と戻湯内管１０２は、箱体１００の中央部から水平に平行に並べて連設され、それぞれ先端にＯリング１０１１、１０２１が装着されている。
開閉弁１５１Ａ、１５２Ａは、図５及び図６に示すように、２個の平板状弁から形成され、箱体１００の仕切室１１の下端に設けた開口１１１及び仕切室１３の下端に設けた開口１３１の一方を開き、他方を閉じることができるように、軸１５１１Ａ、１５２１Ａで箱体１００に軸着している。
網カバー４０は、図１に示すように、ステンレス板４１をトレイ状に成型して、前面にメッシュ窓４２を打ち抜いたもので、仕切箱１０の箱体１００に外嵌して係合できるように形成されている。
従って、浴槽湯口装置を取り付ける時は、図１に示すように、給湯戻湯本体２０の給湯管２０１の先端に、継手胴５１に給湯配管６１を接続した継手管５０のシール管５０３を嵌入し、また、戻湯管２０２の先端に、継手胴５２に戻湯配管６２を接続した継手管５０のシール管５０４を嵌入し、継手管５０のつば５０１と給湯管２０１のつば２０１１に固定具７１を嵌着して固定し、また、継手管５０のつば５０２と戻湯管２０２のつば２０２１に固定具７２を嵌着して固定したのち、給湯戻湯本体２０の凸部２１１を浴槽壁８０の開口部８１に位置決めして、浴槽内側から締付ねじ３０１を介して押え金３０で固定し、仕切箱１０の給湯内管１０１及び戻湯内管１０２を給湯戻湯本体２０の給湯管２０１及び戻湯管２０２にそれぞれ挿入し、ねじ１０３で固定し、さらに、網カバー４０を仕切箱１０の箱体１００に係合する。
仕切箱１０は、給湯内管１０１に連通する給湯通路の仕切室１１と、戻湯内管１０２に連通する戻湯通路の仕切室１３とが、加圧給湯により、給湯通路の仕切室１１の出口１１１を開き、戻湯通路の仕切室１３の出口１３１を閉じる２個の開閉弁１５１Ａと１５２Ａにより給湯を浴槽内に流出させると共に、給湯通路の仕切室１１から加圧給湯が多量に流出できない範囲の大きさの開口部１１０１を設けて戻湯受部の仕切室１２に連通し、また、戻湯受部の仕切室１２に開口部１１０１に相当する開口部１３０１を設けて戻湯通路の仕切室１３に連通して、戻湯を、戻湯受部の仕切室１２から開口部１３０１を経て戻湯通路の仕切室１３及び戻湯管１０２に流入させ、また、給湯内管１０１に戻湯を、戻湯内管１０２に給湯を、供給しても給湯口の開口部１４から給湯を、戻湯受部の仕切室１２から戻湯を、浴槽内に循環できるようになる。この場合、開口部１１０１及び１３０１附近の仕切板には、図６に示すように、段差を設ければ、加圧給湯は、開口部１１０１から多量に流出せず殆どが出口１１１を経て給湯口１４から流出させることができ、また、戻湯は戻湯通路の仕切室１３に流入しやすくなる。
【実施例２】
【０００８】
本発明の実施例２が図７及び図８に示されている。
本発明実施例の浴槽湯口装置は、継手管５０と、給湯戻湯本体２０と、押え金３０Ｂと、仕切箱１０Ｂと、網カバー４０とを備えている。
継手管５０と給湯戻湯本体２０と、押え金３０と網カバー４０とは、本発明の実施例１と同じであるので、詳細説明は省略する。
仕切箱１０Ｂは、開閉弁１５１Ｂを除いて、実施例１と同じであるので、詳細説明は省略する。
開閉弁１５１Ｂは、図７及び図８に示すように、平板をＬ形に曲げた形状の弁で形成され、箱体１００の仕切室１１の下端に設けた開口１１１及び仕切室１３の下端に設けた開口１３１の一方を開き、他方を閉じることができるように、軸１５１１Ｂで箱体１００に軸着している。
仕切箱１０Ｂの作用効果は、実施例１と同じであるので、詳細説明は省略する。
【実施例３】
【０００９】
本発明の実施例３が図９及び図１０に示されている。
本発明実施例の浴槽湯口装置は、継手管５０と、給湯戻湯本体２０と、押え金３０と、仕切箱１０Ｃと、網カバー４０とを備えている。
継手管５０と給湯戻湯本体２０と、押え金３０と網カバー４０とは、本発明の実施例１と同じであるので、詳細説明は省略する。
仕切箱１０Ｃは、開閉弁１５１Ｃを除いて、実施例１と同じであるので、詳細説明は省略する。
開閉弁１５１Ｃは、図９及び図１０に示すように、平板状の弁で形成され、箱体１００の仕切室１１の下端に設けた開口１１１及び仕切室１３の下端に設けた開口１３１の一方を開き、他方を閉じることができるように、軸１５１１Ｃで箱体１００に軸着している。
仕切箱１０Ｃの作用効果は、実施例１と同じであるので、詳細説明は省略する。
【産業上の利用可能性】
【００１０】
本発明の浴槽湯口装置は、構造簡単で、５組の部品を組み付けるだけで、浴槽への取り付けが１人の作業員でできる。
【図面の簡単な説明】
【００１１】
【図１】本発明実施例の組立前の説明図である。
【図２−１】図１の給湯戻湯本体と押え金の組立前の説明図である。
【図２−２】図１の給湯戻湯本体の組立前の別の説明図である。
【図２−３】図１の押え金の組立前の別の説明図である。
【図３】図１の仕切箱の斜視図である。
【図４】図３の網カバーを除いたときの斜視図である。
【図５】図４の仕切板を除いたときの説明図である。
【図６】図５の縦断面を示す説明図である。
【図７】図１の別の仕切箱の斜視図である。
【図８】図７の縦断面を示す説明図である。
【図９】図１のさらに別の仕切箱の斜視図である。
【図１０】図９の縦断面を示す説明図である。
【符号の説明】
【００１２】
１０、１０Ｂ、１０Ｃ      仕切箱
１０１    給湯内管
１０２    戻湯内管
１０３    ねじ
１１      仕切箱の第１室
１１０１、１１１  第１室の開口部
１２      仕切箱の第２室
１２０１、１４０１  第２室の下端
１３      仕切箱の第３室
１３０１、１３１  第３室の開口部
１４      給湯口
１５１Ａ、１５２Ａ、１５１Ｂ、１５１Ｃ      開閉弁
２０    給湯戻湯本体
２０１    給湯管
２０２    戻湯管
３０、３０Ｂ    押え金
３０１、３０１Ｂ    締付ねじ
３０１１、３０１１Ｂ    締付ねじのヘッド
３０１２、３０１２Ｂ    螺孔
４０      網カバー
５０      継手管
６１      給湯配管
６２      戻湯配管
８０      浴槽壁
【図１】
2008032378.tif 000003
【図２−１】
2008032378.tif 000004
【図２−２】
2008032378.tif 000005
【図２−３】
2008032378.tif 000006
【図３】
2008032378.tif 000007
【図４】
2008032378.tif 000008
【図５】
2008032378.tif 000009
【図６】
2008032378.tif 000010
【図７】
2008032378.tif 000011
【図８】
2008032378.tif 000012
【図９】
2008032378.tif 000013
【図１０】
2008032378.tif 000014